(57)【特許請求の範囲】
【請求項１】
垂直軸Ｚの周りで一般的に回転対称であるパリソン（２）を有するタイプの試飲グラス（１）であって、
前記パリソン（２）内に、前記パリソン（２）の周辺部に均等に分布した、一組の少なくとも２つの内部リブ（７）を含み、これら内部リブ（７）の各々は、グラスのほぼ底部から、前記グラスの最大直径部分に対応する高さのレベルより低いか、等しい前記パリソンの高さまで、前記パリソン（２）の母線に沿ってそれぞれ異なる長さで実質的に伸長しており、さらに、長さがより小さい内部リブの高さに対応するレベルの上では当該内部リブより長い内部リブが撹拌に作用することを特徴とするグラス。
【請求項２】
３つの内部リブ（７ａ、７ｂ、７ｃ）を含み、最小の高さの内部リブのレベルの上では２つのみの内部リブが撹拌に作用し、かつ次に、第２リブの高さに対応するレベルの上では１つだけの内部リブが作用することを特徴とする請求項１記載のグラス。
【請求項３】
前記３つの内部リブ（７ａ、７ｂ、７ｃ）の高さが、それぞれグラスの７０、１１０及び１５０ミリリットル注入に対応することを特徴とする請求項２に記載のグラス。
【請求項４】
前記内部リブ（７）が、前記パリソン（２）の内面から突き出ることを特徴とする請求項１から３のいずれかに記載のグラス。
【請求項５】
前記パリソン（２）の底部に、前記グラスの対称軸Ｚに沿って、前記内部リブ（７）が融合する突き出したドーム（８）も含むことを特徴とする請求項１から４のいずれかに記載のグラス。
【請求項６】
前記パリソン（２）の底部に、前記グラスの対称軸に沿って、前記内部リブ（７）が融合する中空ドーム（８）も含むことを特徴とする請求項１から４のいずれかに記載のグラス。
【請求項７】
前記内部リブ（７）が、プロペラ羽根の形状であることを特徴とする請求項１から６のいずれかに記載のグラス。
【請求項８】
請求項１に記載の試飲グラスを製作する方法であって、
− 前記パリソン（２）が、回転及びブロー成形型内で作り出され、かつドーム（８）が脚（３）の上端による前記パリソン底部の変形によって製作されるステップと、
− 前記脚（３）が、固定プレス成形型内で、又は伸張した脚として作り出され、かつ台足（４）が、固定プレス成形型内で作り出されるステップと、
− 前記脚及び台足が、前記パリソンに組み立てられるステップと、
− 工業生産に適した製造システムが、前記台足を前記脚の底部に取り付けるために製造されるステップと、
− 前記脚及び台足が固定プレス成形型内で製作される場合、前記脚（３）から前記台足（４）に及ぶ継ぎ目が、艶出し加工されるステップとを含むことを特徴とする方法。
【発明の詳細な説明】
【技術分野】
【０００１】
本発明は、ワイン醸造学の分野に属する。更に具体的には、ワイン試飲用に設計されたグラスに関する。
【背景技術】
【０００２】
ワイン醸造学において、一種類のワインを、異なる形状のグラスにそれぞれ注ぎ、これを飲用する時に、同じ試飲者にはワインが同じ匂い及び同じ味覚を示さない場合が多いことが知られている。
【０００３】
この効果は、幾つもの物理及び化学的現象に起因する。ワインは、エタノール、アセトアルデヒド及びグリセロール分子、タンニン、フェノール及び揮発性化合物、エステル、鉱物質及び植物質、揮発性酸等を含む複数の要素から成る。これらの様々な分子は、ワインを取り囲む空気中に、グラスの形状に応じて多かれ少なかれ速く放出される。例えば、グラス内のワインの量に対する、ワインからの風味の放出速度及びワインの酸化作用を部分的に決定するワインの自由表面の比は、従ってバルーン、チューリップ又はフルート形状等のグラスの選択を部分的に説明する。若い赤ワインは、酸化作用を必要とし、そのことにより、自由ワイン表面が大きい理由が説明され、他方で反対に、古いワインは、この酸化作用をそれ程必要とせず、かつ好ましくは小さな直径のグラスで飲用される。
【０００４】
僅かに換気された空気量中で風味を保ちたいという願望により、「パリソン」と呼ばれるグラスの容器部分よりも小さい、「リム」と呼ばれるグラス上部の直径を選択する理由が説明される。
【０００５】
同様に、試飲者の口の様々な部位にある味蕾は、同じ風味の知覚に当てられていないことが知られている。すなわち、ある部分は、食品の苦味の検出に特に当てられ、他の部分は、酸味の知覚に当てられ、更に他の部分は、甘味又は塩辛い性質の知覚に当てられる等である。従ってグラス上部の形状は、飲用時にワインを特定の味蕾に優先的に向け、品質のいずれかを強調するワインの味覚再生シークエンスのようなものを作り出す。
【０００６】
創造に多大な努力を必要とした、高級ワインに適したグラスの選択は、従って試飲者の品質知覚に決定的であり得る。
【０００７】
それ故にグラスの内部形状は、研究及び創造の対象となる。
【０００８】
特定のタイプのワインに有利であるように特別に設計されたグラスは、先行技術においてすでに提案された。
【０００９】
風味を更に速く引き出すための種々の手段が検討され、大抵の場合、グラスが非常に伝統的な円運動を受ける時に、ワイン中に乱流を作り出すことによる。
【００１０】
これらの中で、１９９１年の特許文献１は、グラスに回転運動をさせる時に、ワインの回転運動を混乱させ、かつワイン中に乱流を作り出し、かつ従って芳香分子の放出を容易にするために、実質的にワインの自由表面で、パリソン内部に突き出す止め縁部を含むグラスを示す。
【００１１】
同様に、２０００年の特許文献２は、パリソン表面の母線に沿ってグラスの底部からリムに伸長するリブを、パリソン内側に含むグラスを記載する。このリブは、好ましくはグラスのパリソンに局所的に垂直な小面の形状にある。リブは、パリソンの周辺輪郭から局所的に引っ込んだ部分から成る可能性がある。リブは、芳香分子を引き出すためにワイン中に強力な局所的乱流も引き起こす。
【００１２】
これらの様々な欠点は、限られた有効性か、又は反対に実際の乱流（リブの露出した鋭い縁部、ワインの進路の切断）であり、軽度の酸化作用及び風味の発現よりもむしろ、ワインの混合及びフェノール分解のような効果をとりわけ引き起こす可能性が高い。
【先行技術文献】
【特許文献】
【００１３】
【特許文献１】仏国特許第２６８４５３４号明細書
【特許文献２】仏国特許第２８１７１３４号明細書
【発明の概要】
【発明が解決しようとする課題】
【００１４】
本発明の目標は、グラス内で撹拌運動を作り出すことによってワインの風味の発現を達成することである。
【００１５】
第２の目標として、本発明は、過度に強力な撹拌によってワイン中に存在する特定の分子の破砕を回避し、かつむしろそれらを均一に振動させるよう努める。
【課題を解決するための手段】
【００１６】
このために、本発明は、垂直軸の周りに回転対称を有するパリソンを含み、前記パリソン内に、パリソンの周辺部に均等に分布した、一組の少なくとも２つの内部リブを含み、内部リブの各々が、グラスのほぼ底部から、内部リブの各々に関して異なる、グラスの通常の注入レベルより低いパリソンの高さまで、パリソンの母線に沿って実質的に伸長するタイプの飲用グラスに関する。
【００１７】
内部リブは、ワインの均一の撹拌を引き起こすために均等に角度分布する。このことは、ワインの芳香の展開を混乱させる傾向のある単一のリブ、又はパリソンに対して大きすぎる角度で突き出すリブでは達成されない。
【００１８】
表面乱流効果を回避するために、撹拌効果が、ワインの自由表面のレベルの下で止まることがここでは望ましいことも理解できる。
【００１９】
好適な実施態様によれば、各内部リブの高さは、グラスの通常の注入レベルである。
【００２０】
ここで、含まれるワインを撹拌する効果は、グラスに注がれるワイン量の容易な目測と組み合わされる。
【００２１】
好ましくはグラスは、記載するように３つの内部リブを含む。
【００２２】
これらの３つの内部リブは、単一のグラスの最も伝統的な注入レベルに対応すると考えられる。例えば７、１１及び１５センチリットル注入時に対応する高さを有する。
【００２３】
好ましい実施態様によれば、内部リブは、パリソンの内面から突き出る。
【００２４】
この配置は、グラスの簡易な実施に対応し、かつ更に複雑なリブ部分が実施されることを可能にする。
【００２５】
好適には、グラスは、パリソンの底部に、グラスの垂直な対称軸に実質的に沿って、内部リブが融合する「ノーズキャップ」と呼ばれる突き出したドームも含む。
【００２６】
このような構造にすると、グラスの内壁に対してワインを押し上げ又は押し付け、従ってグラスを形成する材料と、ワインとの間の摩擦増加を生じさせることが理解できる。この原理は、種々の風味の放出を一層容易にする。
【００２７】
あるいは、シャンパングラスの場合に、グラスは、パリソンの底部に内部リブが融合する中空ドームも含む。
【００２８】
この場合に中空ドームは、バブルが、煙突の形状でグラスの中心で均一に上昇することを可能にする「バブルフック」と呼ばれる、好適には４０〜８０の衝撃を含み、液体の周辺部でフォームの本物のクラウンの形成を可能にする。
【００２９】
ワインの風味を満足できるようにするために、内部リブは、プロペラ羽根表面及びノーズキャップの部分と類似した部分を有するとよい。
【００３０】
本発明は、
−  パリソンが、回転及びブロー成形型内で作り出され、かつドームが脚の上端によるパリソン底部の変形によって製作されるステップと、
−  脚が、固定プレス成形型内で、又は伸張した脚として作り出され、かつ台足が、固定プレス成形型内で作り出されるステップと、
−  脚及び台足が、パリソンに組み立てられるステップと、
−  工業生産に適したジョーシステムが、台足を脚の底部に取り付けるために製造されるステップと、
−  脚状部材が、固定プレス成形型内で製作される場合、脚から台足に及ぶ継ぎ目を、艶出し加工するステップとを含む、記載したようなグラスを製作する方法にも関する。
【００３１】
専ら本発明の実施態様の例として与えられる以下に続く説明は、添付した図面を参照してなされる。
【図面の簡単な説明】
【００３２】
【図１】本発明による試飲ワイングラスの平面図である。
【図２】図１に示すグラスの側面図である。
【図３】プロペラ羽根形状の内部リブを強調する、回転軸に平行な垂直平面に沿ったグラスの断面斜視図である。
【図４】同じグラスの下方から見た斜視図である。
【図５】グラスの台足の断面を強調する側面図である。
【図６ａ】グラスの台足の形状を詳述する。
【図６ｂ】グラスの台足の形状を詳述する。
【図６ｃ】グラスの台足の形状を詳述する。
【図７】外部リブを強調する、本発明によるシャンパンフルートを同じ方法で示す。
【図８】同じフルートの側面図である。
【図９ａ】本発明による内部リブを同様に装着されたゴブレットを示す。
【図９ｂ】本発明による内部リブを同様に装着されたゴブレットを示す。
【図９ｃ】本発明による内部リブを同様に装着されたゴブレットを示す。
【図１０】内部リブの断面を示す、前記リブの断面図である。
【図１１】一実施態様における内部リブの断面を示す。
【発明を実施するための形態】
【００３３】
図１から図４で理解できるように、本発明による試飲グラスは、それ自体が台足４に固着される、脚３に取り付けられた、流体を受けるように設計されたパリソン２を含む。この場合において、本発明に係るグラスは、垂直軸Ｚの中心に回転対称を示す。
【００３４】
用語「リム」５は、パリソンの上部リップを指し示すために、説明の残りの部分において使用される。線６はグラス１の最大直径部分を示す。
【００３５】
これは、ワインの風味を保つために、丸みを帯び、３５センチリットル入りのパリソン２を有するグラスである。このグラスは、ワインを更に一層、酸化させることにより、全てのタイプの若い無発泡性ワインに特に適している。
【００３６】
このグラス１の寸法は、次の通りである。約２０センチメートルの全高、８センチメートルの最大直径、及び６センチメートルのリム直径に、９センチメートルのパリソン２の高さ。グラスの底部に対応するパリソン２の部分は、約４センチメートルの曲率の内部半径を有し、他方で上部は、約１１センチメートルの小さな曲率半径を有する。
【００３７】
パリソン２の厚さは、このグラスの製造方法によって決まる。専門家に知られており、かつ本発明の範囲を超えると推測される。それにもかかわらず、厚さは、リムで薄く、かつ火切りされる（ｃｒａｃｋｅｄ−ｏｆｆ）。
【００３８】
しかしながら本発明は、フルート又はゴブレットタイプのグラス１又は回転対称を有する他のいかなるタイプのグラス若しくは液体容器に関して変わらない。
【００３９】
グラス１は、パリソン２の内部で浮彫にして製作された、実質的にプロペラ羽根形状の、一組の３つの内部リブ７ａ、７ｂ、７ｃを含む。これら３つの内部リブ７は、グラス内で均等に角度分布され、かつそれ故にそのいずれの２つも、約１２０°離れている。
【００４０】
これら内部リブ７の各々の下部は、実質的にグラス１の垂直な対称軸Ｚに沿って、パリソン２の底部で突き出したドーム８に融合する。この非限定的な場合において、実質的に航空機のプロペラ又はタービンの「ノーズキャップ」として形成されたドーム８は、グラス底部の上に約５ｍｍの高さ及び１０ミリメートルの曲率半径を有する。
【００４１】
内部リブ７ａ、７ｂ、７ｃは、グラス底部のドーム８からリブの各々の異なる高さまで、グラス１のパリソン２の母線に沿って実質的に伸長する。本実施例では、グラス底部の上の２８、３５及び４２ｍｍまで延長している。これらの値は、それぞれ試飲グラスの７、１１及び１５センチリットル注入に対応する。
【００４２】
従って、最大内部リブ７ｂは、グラス６の最大直径で実質的に終わり、それは、グラスの通常の注入レベルでもあり（ワインの最大酸化作用のための最大表面積）、ここでは１５センチリットルである。
【００４３】
ドーム８のプロペラノーズキャップ形状及び３つの内部リブ７の選択は、グラス内でプロペラの形状及び機能をある程度まで再現することが意図される。このプロペラは、図を見ることによって理解できるように、グラス１の内縁部に対して押し付けられる。
【００４４】
各内部リブ７の断面（図１０）は、それ故に理想的には、例えば風力タービンのプロペラ羽根表面の断面である。この実施態様において、各内部リブ７の幅は、底部から頂部に向かって減少し、ドーム８近くのグラス底部の幅が、約３〜４ミリメートルであり、かつ頂部の幅が約１．５〜２ミリメートルである。グラス底部の各内部リブ７の幅は、各リブに関して異なる（最長のリブに関して大きく、最短のリブに関して小さい）。
【００４５】
断面図で見ると、内部リブ７の厚さは、その幅に対して小さく、例えば約１ミリメートルであり、かつ上から見た時に１〜４ミリメートルである。内部リブ７の直線断面の側面９は、簡易に製作するためにここでは弧状に形成される。それらの断面は、対称である。前記内部リブ７の上部１０は、平坦であるか、又は僅かに凹形である。
【００４６】
一実施態様において、各リブは、その最高又は最薄部分上で、垂直平面に対して＋又は−５度の角度を有する。
【００４７】
ここでグラスの脚３は、それ自体公知であるロッドタイプであり、かつ高さ約１０センチメートルである。
【００４８】
グラスの台足４は、グラスの高さ及び容量に関して伝統的な寸法の厚いディスクの全体的形状（例えば、７ミリメートルの厚さに対して７センチメートルの直径）を有し、かつその軸は、グラスの垂直な回転軸Ｚと一致する。
【００４９】
台足は、（グラスをその基底面で支持するように設計された）その下面に、互いに１２０°の角度分離で、台足の周辺部に配置された３つの実質的に平坦で、かつ同一平面上にある支持部位１２ａ、１２ｂ、１２ｃを含む。これら３つの支持部位１２ａ、１２ｂ、１２ｃは、グラスの均衡基底を形成する。それらは、幅約５ミリメートルであり、かつ台足４の下面に対して約２ミリメートル突き出している。
【００５０】
下部台足４の形状（及び支持部位１２の形状）は、３つの支持部位１２ａ、１２ｂ、１２ｃを含む平坦なディスク内で、１５センチメートルに等しい同じ直径、互いに１２０°角度分離された水平軸を有する３つの円筒の扇形構造１３ａ、１３ｂ、１３ｃを取り除き、かつ支持部位１２によって形成された平面の下１４８ｍｍに位置するグラスの垂直軸Ｚの同じ点で接続することにより得られる。これら３つの円筒の扇形構造１３ａ、１３ｂ、１３ｃは、丸みを帯びた推移帯１４ａ、１４ｂ、１４ｃによって接続される。
【００５１】
グラスの台足の下面のこの設計方法は、丸みを帯びた部分１７によって接続される１２０°に方向付けされた２つの隆起部１５、１６を含む支持部位１２の形状を説明する。
【００５２】
この台足形状は、最も多く存在する脚付きグラスに関して当てはまるように、グラスがひっくり返される時、水滴が台足の下面に停滞することを妨げる。
【００５３】
この例において、本発明によるグラスは、クリスタルで製作される。鉱物、結晶又は他の材料を有する又は有さない、好ましくは酸化鉛を有さないグラスでも製作できる。
【００５４】
グラスの製作方法は、それ自体が公知である。それは、機械加工−機械的タイプ（ｍａｃｈｉｎｅ−ｍｅｃｈａｎｉｃａｌ  ｔｙｐｅ）であり、かつこの例において、パリソン２が回転及びブロー成形型内で作り出されステップと、脚３及び台足４が固定プレス成形型内で作り出されるステップと、脚及び台足が、パリソンに組み立てられるステップと、脚３から台足４に達する継ぎ目が、艶出し加工されるステップとを含む。
【００５５】
一応用例において、グラスは、口吹きとしても製作できる。
【００５６】
それ自体が公知である回転運動を、手で伝統的に逆時計回りでグラス１に与えることによって、グラス内で生み出される相対移動は、ワインを撹拌する３つの羽根を有するプロペラのそれである。
【００５７】
グラス内でワインを回転させる間、ドーム８は、ワインをグラスの内部パリソンに押し付けることによって、グラスの壁に向かうワインの運動を引き起こす。次にワインは、プロペラ羽根の形状の内部リブ７によって規則的に混合されることにより、壁に沿って徐々に上昇し、かつワインの自由表面内に、すなわちワインのレベルと、グラスのパリソンのリムとの間で、その一次、二次及び三次的風味を放出する。
【００５８】
最大のものが、グラス内のワインの通常の自由レベルで終わる、異なる高さの３つの内部リブ７の選択は、興味深いことにグラスの底部で達成されるべき、ワインの更に力強い撹拌を可能にし、その撹拌は、高さと共に減少する。
【００５９】
実際に、最小の高さのリブのレベルの上では、２つのみのリブが、ワインの撹拌に作用し、かつ次に、第２リブの高さに対応するレベルの上では、１つだけのリブが作用する。従って、得られる効果は、ワインの自由表面を過度に混乱させることなく、ワインの風味の力強い発現が維持されることである。
【００６０】
本発明による試飲グラスの目的は、鋭すぎる内部リブ７の縁部、又はワインの自由表面の上にあまりにも離れて伸長する内部リブ７（これは内部リブを含む先行技術の試飲グラスが当てはまる）を有することにより、ブレンダを作り出すことでは確かになく、むしろワイン内で、かつパリソン２の内壁に沿ったワインの一連の適度な運動を作り出すことを可能にすることであり、それによりワインの芳香分子を破砕することなく、均一に振動させることによって、ワインの芳香分子の交換及び放出が容易になる。
【００６１】
本発明の範囲は、例として以上で考慮された実施形状の詳細に限定されず、反対に専門家の到達し得る修正にまで及ぶ。
【００６２】
記載した試飲グラスは、互いに１２０°で分布した３つの内部リブ７を含む。応用例として、１８０°で２つの内部リブ７、又は反対に多い数の内部リブ７、例えば９０°に位置する４つの内部リブ７を有するグラスを提案することが可能である。
【００６３】
一応用例において、内部リブ７は、浮彫で製作される代わりに、実質的に変わらない形状を保持しながら、グラスのパリソン２内でくりぬかれる。この場合において、グラス１は、当然に、前記内部リブ７の作成を可能にするために、各内部リブ７で局所的に十分に厚いパリソン２を有する。
【００６４】
この応用例におけるグラスの使用は、実質的に変わらない。
【００６５】
ワインを撹拌する同じ効果を提供する、もう１つの実施態様において、プロペラ羽根の形状のリブ７は、パリソン２上に貼り付けられず、数ミリメートル隔てられ、かつグラスの底部のドーム８で、又はその長さの限られた部分で、グラス１に単に取り付けられて、前記パリソン２と単に実質的に平行である。
【００６６】
この場合において、内部リブ７は、好適には例えば耐食金属合金として、破損に対して耐性を有する材料でできていても良い。
【００６７】
この配置により、ドーム８の周りでのパリソン２の最終成形により、成形型が公知である伝統的な半パリソンを含む、別個の部材から、グラス１が製作できるようになる。それは、プロペラ羽根の更に洗練された形状も可能にする。ワインの撹拌も、改善される。
【００６８】
応用例（図７）において、本発明によるグラス１は、パリソン２の外面上に、内部リブ７の数と等しい数の外部リブ１１を含む。各外部リブ１１は、この非限定的な例において、内部リブ７に対向して設置される。各外部リブ１１は、グラス１の脚３で始まり、かつグラスの最大直径レベル６未満のレベルに伸長する。
【００６９】
これら外部リブ１１の目的は、グラスが持ち上げられる時につまみの役目を果たし、かつ従って試飲者によってグラス１が局所的に過熱されることを回避するように、指と、パリソン２との間に距離を作ることである。３つの外部リブに関して、１つは、ボトル内のスパークリングワインの約６つのグラスを得るために、１２．５ｃｌに目盛りを付され、かつ大きさを決められる。
【００７０】
これら外部リブ１１の存在は、白ワインのように冷やして供されるワインの場合に、特に有用である。
【００７１】
シャンパン及びスパークリングワインに関して、内部リブ７の存在は、ワインのガス抜きを促進することが望ましい場合を除き、望ましくない。その場合外部リブ１１のみが存在する。
【００７２】
例えば図７及び図８に示した、具体的にシャンパンを試飲するための応用例において、ここではシャンパンフルートの形状の、本発明によるグラス１は、グラス底部に、但し今回は、グラス底部での凹部として画定されるドーム８も含む。その形状は、以上に記載されたものとおおむね変わらないが、中空である。その実施態様は、それ自体が公知である（成形その他の技術）。
【００７３】
この場合に、ドーム８は、機能が、フランジ形状の未発達バブル（ｅｍｂｒｙｏｎｉｃ  ｂｕｂｂｌｅｓ）を作り出すように支援し、従ってシャンパン表面でのフォームの本物のクラウンの形成に寄与することである、「ムシエポイント（Ｍｏｕｓｓｉｅｒ  ｐｏｉｎｔｓ）」と呼ばれる４０〜８０の衝撃を概して含むが、それらに限定されない連続によって表面処理される。これらムシエポイントの作成は、専門家に知られており、それ故にここでは更に詳述しない。
【００７４】
このシャンパンフルートは、上記のように３つの外部リブ１１を含むが、場合によりいかなる内部リブ７も有さなくても良い。
【００７５】
果汁のような他の飲料を試飲するために設計された、更にもう一つの応用例（図９ａ〜図９ｃ）において、本発明によるグラス１は、脚３を含まないが、パリソン２の底部が、支持部位の役目も果たす。これを達成するために、グラスは、グラス底部の部位で相当に厚いパリソン２と、グラスのパリソン及び接線に近付く前に、当初実質的に水平に伸長する３つの外部リブ１１とを有する。グラスは、グラス底部から異なる高さまで伸長する外部リブに対向して配置されなくても良い３つの内部リブ７を含む。内部リブは、グラスのほぼ底部から、７、１１及び１５ｃｌに大きさが決められ、かつ目盛りを付された異なる高さまで伸長する。各内部リブは、例えばその最高の又は最も細い部分で、垂直平面に対して＋又は−５°の角度を形成する。大きなリブは、グラスの最大直径レベル６まで実質的に伸長する。ドーム又はノーズキャップが、グラスの内部パリソンの底部で存在しないことが可能であり、その場合、内部リブは、グラスの底部に伸長しない。
【００７６】
説明は、円弧に終わる、実質的に平坦な対称平面（その形状は、パリソンの形状に従う）を有する内部リブ７によってなされた（内部リブの真っ直ぐな断面図に関して、図１０を参照）。
【００７７】
図１１に示した一実施態様において、各内部リブ７の断面は、非対称であり、（グラスが逆時計回りの回転運動で駆動される場合、ワインの進行方向において）前縁９ａが、パリソン２にほぼ接線方向であり、後縁９ｂが、著しく高く（例えば２ミリメートル）、かつ中央部１０が凹形である。かかる内部リブ７断面は、ワインをグラス内部に向かって押し、かつワイン中で過度に激しい運動を作り出さずに、その内部の運動を増加させる。
【符号の説明】
【００７８】
１…グラス、２…パリソン、３…脚、４…台足、７…内部リブ、７ａ、７ｂ、７ｃ…内部リブ、８…ドーム
【図１】
0005718824.tif 000002
【図２】
0005718824.tif 000003
【図３】
0005718824.tif 000004
【図４】
0005718824.tif 000005
【図５】
0005718824.tif 000006
【図６ａ】
0005718824.tif 000007
【図６ｂ】
0005718824.tif 000008
【図６ｃ】
0005718824.tif 000009
【図７】
0005718824.tif 000010
【図８】
0005718824.tif 000011
【図９ａ】
0005718824.tif 000012
【図９ｂ】
0005718824.tif 000013
【図９ｃ】
0005718824.tif 000014
【図１０】
0005718824.tif 000015
【図１１】
0005718824.tif 000016